(57)【要約】【課題】集塵性能に優れた電気掃除機を提供する。【解決手段】掃除機本体２０の前部に設けた吸入口２１と、吸入口２１の後部に位置し集塵ボックス２７を収納する集塵ボックス収納部２８と、集塵ボックス収納部２８の後部に配置された電動送風機を備え、集塵ボックス２７は、吸入口２１に挿入されるホースと連通する為の連通穴３３に対向して設けられた開口部３５を有する本体部３４と、開口部３５を覆い吸引された空気の塵埃を除去する粗塵フィルター３６を有する蓋体Ａ３７とを備え、連通穴３３は本体部３４の内方に延出される筒状部４１と、筒状部４１の先端から外周方向に略円弧状に延出された複数の延出部４２からなるもので、連通穴３３から吸引された吸引風が略円弧状の延出部４２でスムーズに流れるため、流速が増し粗塵フィルター３６に付着した塵埃を吹き飛ばし、目詰まりがし難くなる。【選択図】図２
2014068970.tif 000002
【特許請求の範囲】
【請求項１】
掃除機本体の前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴に対向して設けられた開口部を有する本体部と、前記開口部を覆い吸引された空気の塵埃を除去するフィルターを有する蓋体とを備え、前記連通穴は、前記本体部の内方に延出される筒状部と、前記筒状部の先端から延出される複数の延出部とからなり、前記延出部先端を外周方向に略円弧状に形成したことを特徴とする電気掃除機。
【請求項２】
掃除機本体の前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴に対向して設けられた開口部を有する本体部と、前記開口部を覆い吸引された空気の塵埃を除去するフィルターを有する蓋体とを備え、前記連通穴は、前記本体部の内方に延出される筒状部と、前記筒状部の先端から延出される複数の延出部とからなり、前記延出部先端を内周方向に略円弧状に形成したことを特徴とする電気掃除機。
【請求項３】
隣り合う２つの延出部の隙間を、集塵ボックスの左右対称に配設した請求項１又は２に記載の電気掃除機。
【発明の詳細な説明】
【技術分野】
【０００１】
本発明は、電気掃除機に関するもので、特に電気掃除機の集塵ボックスに関するものである。
【背景技術】
【０００２】
従来のこの種の電気掃除機は、特許文献１に記載されているようなものが一般的であった。この従来の電気掃除機について図７、図８を用いて説明する。図７は、従来の電気掃除機の全体斜視図、図８は、同電気掃除機の要部断面図である。
【０００３】
図７、８において、従来の電気掃除機の掃除機本体１は前方に吸入口２を有する集塵ボックス収納部３と、後方に電動送風機４を有する電動送風機室（図示しない）を具備し、吸入口２には、掃除機本体１とホース５のエアータイト用のパッキンＡ６を具備している。集塵ボックス収納部３内には、集塵ボックス７が収納されている。集塵ボックス７は、前方に連通穴８が設けられ後方が開口されている本体部９と、本体部９の後方の開口部９ａを覆うように、メッシュもしくは多孔質に形成された薄板状の粗塵フィルター１０を形成した蓋体Ａ１１とを備え、その下流にプリーツ加工された細塵フィルター１２を形成する蓋体Ｂ１３が後述のヒンジ（図示せず）を介して回動自在に本体部９に保持されている。
【０００４】
また、本体部９の連通穴８の内方に向けて円筒部１４が導出され、さらに円筒部１４の先端には更に延出された舌片状の延出部１５が複数備えられている。連通穴８から吸引された吸引風は、延出部１５間の隙間１６から分散して塵埃を吹き飛ばす構成が一般的であった。
【先行技術文献】
【特許文献】
【０００５】
【特許文献１】特開２００８−０２２９３２号公報
【発明の概要】
【発明が解決しようとする課題】
【０００６】
しかしながら、上記特許文献１に記載されたような従来の電気掃除機の構成では、連通穴８から吸引された吸引風は、延出部１５間の複数の隙間１６から分散されている為、空気の流れが乱流し、粗塵フィルター１０の表面に堆積して塵埃がある程度の集塵量で目詰まりを起こしてしまい、吹飛ばし効果が半減していた。その対策として粗塵フィルター１０の面積を大きくすることで目詰まりを防止し、より集塵量を大きくする方法が提案されているが、このような構成をとると集塵ボックス７が大きくなり、それを収納する電気掃除機の掃除機本体１も大型化するという課題があった。
【０００７】
本発明は、前記従来の課題を解決するもので、集塵ボックスを大きくすることなく、フィルターの目詰まりを防止することで、集塵ボックスの内容量を有効に利用することを可能とするもので、従来と同等の集塵量を確保しつつ集塵ボックスの小型化を可能とし、小型で使用勝手の良い電気掃除機を提供することを目的とする。
【課題を解決するための手段】
【０００８】
上記従来の課題を解決するために、本発明の電気掃除機は、掃除機本体の前部に設けた吸入口と、前記吸入口の後部に位置し集塵ボックスを収納する集塵ボックス収納部と、前記集塵ボックス収納部の後部に配置された電動送風機を備えた電気掃除機において、前記
集塵ボックスは、前記吸入口に挿入されるホースと連通する為の連通穴に対向して設けられた開口部を有する本体部と、前記開口部を覆い吸引された空気の塵埃を除去するフィルターを有する蓋体とを備え、前記連通穴は、前記本体部の内方に延出される筒状部と、前記筒状部の先端から延出される複数の延出部とからなり、前記延出部先端を外周方向に略円弧状に形成したもので、連通穴から吸引された吸引風は、延出部先端の略円弧状形状にてスムーズに流れるため、延出部に略円弧状形状が無い場合と比べ流速が増し、フィルターに付着した塵埃を吹き飛ばすことができる。従って、目詰まりがし難くなり、フィルターの通気性を従来より長く維持することができるため、集塵ボックスの内容量を有効に利用できるようになり、集塵ボックスの小型化、ひいては、掃除機本体の小型化が可能となる。
【０００９】
また、本発明の電気掃除機は、掃除機本体の前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴に対向して設けられた開口部を有する本体部と、前記開口部を覆い吸引された空気の塵埃を除去するフィルターを有する蓋体とを備え、前記連通穴は、前記本体部の内方に延出される筒状部と、前記筒状部の先端から延出される複数の延出部とからなり、前記延出部先端を内周方向に略円弧状に形成したもので、吸引風は延出部で絞られるので、延出部間の隙間からの気流は流速が更に増し、また、直進する気流も流速が増し、フィルターに付着した塵埃をより吹き飛ばしやすくなる。
【発明の効果】
【００１０】
本発明の電気掃除機は、吸引風によりフィルターに付着した塵埃を吹き飛ばすことにより、目詰まりがし難く、フィルターの通気性を従来より長く維持することができるもので、性能を向上させ使い勝手の良い電気掃除機を提供することが出来る。
【図面の簡単な説明】
【００１１】
【図１】本発明の実施の形態１における電気掃除機の全体斜視図
【図２】同電気掃除機の要部断面図
【図３】同電気掃除機の集塵ボックスの外観を示す斜視図
【図４】同集塵ボックスの蓋部を開けた状態を示す斜視図
【図５】（ａ）同集塵ボックスの正面図、（ｂ）図５（ａ）のＡ−Ａ断面図、（ｃ）図５（ａ）のＢ−Ｂ断面図
【図６】同電気掃除機の蓋部を開けた状態での集塵ボックスの他の例を示す斜視図
【図７】従来の電気掃除機の全体斜視図
【図８】同電気掃除機の要部断面図
【発明を実施するための形態】
【００１２】
第１の発明は、掃除機本体の前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴に対向して設けられた開口部を有する本体部と、前記開口部を覆い吸引された空気の塵埃を除去するフィルターを有する蓋体とを備え、前記連通穴は、前記本体部の内方に延出される筒状部と、前記筒状部の先端から延出される複数の延出部とからなり、前記延出部先端を外周方向に略円弧状に形成したもので、連通穴から吸引された吸引風は、延出部先端の略円弧状形状にてスムーズに流れるため、延出部に略円弧状形状が無い場合と比べ流速が増し、フィルターに付着した塵埃を吹き飛ばすことができる。従って、目詰まりがし難くなり、フィルターの通気性を従来より長く維持することができるため、集塵ボックスの内容量を有効に利用できるようになり、集塵ボックスの小型化、ひいては、掃除機本体の小型化が可能となる。
【００１３】
第２の発明は、掃除機本体の前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴に対向して設けられた開口部を有する本体部と、前記開口部を覆い吸引された空気の塵埃を除去するフィルターを有する蓋体とを備え、前記連通穴は、前記本体部の内方に延出される筒状部と、前記筒状部の先端から延出される複数の延出部とからなり、前記延出部先端を内周方向に略円弧状に形成したもので、吸引風は延出部で絞られるので、延出部間の隙間からの気流は流速が更に増し、また、直進する気流も流速が増し、フィルターに付着した塵埃をより吹き飛ばしやすくなる。
【００１４】
第３の発明は、特に、第１又は第２の発明の隣り合う２つの延出部の隙間を、集塵ボックスの左右対称に配設したもので、連通穴から吸引された吸引風は、左右の延出部間の隙間からスムーズに分散して広がるために、隙間が無い場合と比べ吸引風は整流となり、フィルターに付着した塵埃を吹き飛ばしやすく、目詰まりがし難くなり、フィルターの通気性をより長く維持することが可能となる。
【００１５】
以下、本発明の実施の形態について、図面を参照しながら説明する。なお、この実施の形態によって本発明が限定されるものではない。
【００１６】
（実施の形態１）
図１は、本発明の実施の形態１における電気掃除機の全体斜視図、図２は、同電気掃除機の要部断面図、図３は、同電気掃除機の集塵ボックスの外観を示す斜視図、図４は、同集塵ボックスの蓋部を開けた状態を示す斜視図、図５（ａ）は、同集塵ボックスの正面図、図５（ｂ）は、図５（ａ）のＡ−Ａ断面図、図５（ｃ）は、図５（ａ）のＢ−Ｂ断面図である。
【００１７】
図１に示すように、本実施の形態における電気掃除機は、掃除機本体２０と、掃除機本体２０の前方に設けた吸入口２１に一端が接続されるホース２２と、ホース２２の先端に設けられた接続パイプ２３と、接続パイプ２３に接続される延長管２４と、延長管２４の先端に設けられ塵埃を吸引する開口部（図示せず）を有する吸込具２５からなり、掃除機本体２０には、塵埃を吸引するための電動送風機２６と、塵埃を集塵する集塵ボックス２７が内蔵されている。
【００１８】
図１〜図３に示すように、掃除機本体２０は、前方に吸入口２１を有する集塵ボックス収納部２８と、後方に電動送風機２６を有する電動送風機室（図示しない）を具備し、吸入口２１には、掃除機本体２０とホース２２のエアータイト用のパッキンＡ２９が設けられている。
【００１９】
また、集塵ボックス収納部２８の上方は開放状態となっており、開放部上端全周にパッキンＢ３０を有している。掃除機本体２０にその後方部を支点として回動自在に設けた集塵ボックス収納部蓋体３１は、集塵ボックス収納部２８の上方開口部を覆うものである。この集塵ボックス収納部蓋体３１は、パッキンＢ３０と平面が略同形状で集塵ボックス収納部蓋体３１が閉状態となった時パッキンＢ３０と圧接しエアータイトを行うタイトリブ３２を有している。
【００２０】
また、集塵ボックス収納部２８内には、集塵ボックス２７が収納されている。集塵ボックス２７は、前方に連通穴３３が設けられ後方が開口されている本体部３４と、本体部３４の後方の開口部３５を覆うように、メッシュもしくは多孔質に形成された薄板状の粗塵フィルター３６を形成した蓋体Ａ３７と、蓋体Ａ３７の下流側に配され後述のヒンジを介
して回動自在に本体部３４に保持されると共に、プリーツ加工された細塵フィルター３８を形成する蓋体Ｂ３９を備えている。
【００２１】
また、細塵フィルター３８に付着した細塵を掃除するためのブラシ４０が本体部３４に設けた収納部４８に着脱自在に備えられている。また、図４、図５に示すように、集塵ボックス２７の連通穴３３には、内方に向けて筒状部４１が導出され、さらに筒状部４１の先端から延出された舌片状の延出部４２が複数備えられており、延出部４２の先端は、外周方向に略円弧状に形成されている。
【００２２】
一方、蓋体Ａ３７に設けられた粗塵フィルター３６の上流側には、閉めた時に連通穴３３と対向する位置に凸状部４３が設けられている。この凸状部４３は、連通穴３３からの吸引風を分散させるために連通穴３３とほぼ同じ径を有する円形状の風受け部４４と、この風受け部４４から断面が末広がり状に突出すると共に上下に伸びた縦長リブ４５から構成されている。
【００２３】
また、蓋体Ａ３７の回動軸部４６と蓋体Ｂ３９の回動軸部４７は、本体部３４の軸部４９に同心軸にて係止されている。さらに、蓋体Ａ３７、蓋体Ｂ３９は、係止部５０に本体部３４の爪５１が引っ掛ることで、本体部３４に固定され使用時の形態となる。このとき、蓋体Ａ３７の外周前後に形成されたタイトパッキンＡ５２により、本体部３４と蓋体Ｂ３９とがエアータイトされる構成となっている。
【００２４】
以上のように構成された本実施の形態における電気掃除機の動作、作用は以下の通りである。
【００２５】
電動送風機２６の吸引風により、塵埃は、吸入口２１、連通穴３３を通過し集塵ボックス２７の本体部３４に到達する。その後、蓋体Ａ３７に形成されたメッシュもしくは多孔質に形成された粗塵フィルター３６により塵埃の粗塵５３が捕集される。メッシュもしくは多孔質に形成された粗塵フィルター３６を細塵と空気は通過し、次に蓋体Ｂ３９のプリーツ加工された細塵フィルター３８により細塵が捕集され、空気のみが電動送風機室を経て掃除機本体２０外に排出される。
【００２６】
このような集塵の過程において、図５で示すように連通穴３３に吸引された吸引風は、真っ直ぐに直進して凸状部４３に衝突して左右分散する第１の矢印Ａの気流となる。また延出部４２の先端は、外周方向に略円弧状に形成されている為、流速とともに外方向に整流で流れ、粗塵フィルター３６の表面に付着した粗塵５３が吹き飛ばされることになる。従って、粗塵フィルター３６の目詰まりがし難くなり、粗塵フィルター３６の通気性を長く維持することが可能となる。
【００２７】
また、図４に示すように、筒状部４１の先端に設けた延出部４２との間には隙間５４が配設されており、この延出部４２間の隙間５４は、集塵ボックス２７の略中心線を境に左右に配設されている。
【００２８】
上記構成により、図５で示すように連通穴３３に吸引された吸引風は、真っ直ぐに直進して凸状部４３に衝突して左右分散する第１の気流と、左右に構成された延出部４２間の隙間５４から拡散される第２の気流とに分かれ、この２つの気流は、矢印Ａ方向に旋回し、粗塵フィルター３６の表面に付着した粗塵５３が吹き飛ばされることになる。特に、延出部４２間の隙間５４を左右対称とすることで、吸引風をスムーズに左右方向へ整流させるため、粗塵５３をより効果的に吹き飛ばす事ができる。従って、粗塵フィルター３６の目詰まりが一層し難くなり、粗塵フィルター３６の通気性をより長く維持することが可能となる。
【００２９】
図６は、本実施の形態における電気掃除機の蓋部を開けた状態での集塵ボックスの他の例を示す斜視図で、同図に示すように、筒状部４１の先端に設けた延出部４２の先端を内周方向に略円弧状に湾曲させて形成しても良い。
【００３０】
以上のように延出部４２の先端を内周方向に略円弧状に形成することより、吸引風は延出部４２で絞られるので、延出部４２から流入する気流は流速が増し、また、直進する気流も流速が増し、粗塵フィルター３６に付着した塵埃をより吹き飛ばしやすく、優れた吹き飛ばし効果が得られるものである。
【産業上の利用可能性】
【００３１】
以上のように、本発明に係る電気掃除機は、塵埃の吸い込みに伴う吸引力の低下を抑えることができるとともに、集塵ボックスの限られた容積内に効率よく塵埃を堆積させることができ、特に家庭、業務用等の電気掃除機に有用である。
【符号の説明】
【００３２】
２０  掃除機本体
２１  吸入口
２２  ホース
２６  電動送風機
２７  集塵ボックス
２８  集塵ボックス収納部
３３  連通穴
３４  本体部
３５  開口部
３６  粗塵フィルター（フィルター）
３７  蓋体Ａ（蓋体）
３９  蓋体Ｂ
４１  筒状部
４２  延出部
５４  隙間
【図１】
2014068970.tif 000003
【図２】
2014068970.tif 000004
【図３】
2014068970.tif 000005
【図４】
2014068970.tif 000006
【図５】
2014068970.tif 000007
【図６】
2014068970.tif 000008
【図７】
2014068970.tif 000009
【図８】
2014068970.tif 000010